(57)【特許請求の範囲】
【請求項１】
ペーパーシートを巻取って構成され、巻取中心に中空部を備えるペーパーロール用の補助筒であって、
ペーパーロールの中空部に挿通可能とされ、ペーパーロールのロール巾よりも大きい全長を有し、ペーパーホルダの左右のロール支持部に係合可能とされるものであり、
長手方向に直交する断面の周方向両端部を重ねた巻き筒状をなし、ペーパーロールの中空部に挿通される筒径を弾性的に拡縮可能にし、ペーパーロールの中空部に挿通された後の筒径の拡径作用により、ペーパーロールの中空部に密着可能にされることを特徴とするペーパーロール用の補助筒。
【請求項２】
前記補助筒がプラスチック管の長手方向に切れ目を入れて構成されたものである請求項１に記載のペーパーロール用の補助筒。
【発明の詳細な説明】
【０００１】
【発明の属する技術分野】
本発明はペーパーロール用の補助筒に関する。
【０００２】
【従来の技術】
従来、トイレ等で用いられるペーパーロールは、ペーパーシートを巻取って構成され、巻取中心に備えた中空部（巻取コアの中空部又はコア無しの場合の中空部）をペーパーホルダの左右のロール支持レバーに係合し、該ロール支持レバーに対して回転することにて一定長のペーパーシートを取出し可能とする。
【０００３】
従来の標準巾のペーパーロールは原反ロールをカッタで例えば軸方向にて12分割したものであって、ロール巾を例えば114±2mmとしている。そして、ペーパーホルダは上述の標準巾のロール巾に対応するため、左右のロール支持レバーが設けられる左右の側壁の間隔を例えば116mm以上に設定している。
【０００４】
しかるに、ペーパーロールの生産性を向上するため、カッタによる原反ロールの分割数を多く、例えば13分割し、ロール巾を例えば105mmの如くに狭巾にすることが考えられる。ところが、狭巾のペーパーロールを標準巾のロール巾に対応しているペーパーホルダに保持させようとすると、ペーパーロールがペーパーホルダの左右の側壁との間隔分横ずれしたとき、ペーパーロールの中空部が左右のロール支持レバーから脱落する。
【０００５】
そこで、標準のロール巾に対応しているペーパーホルダに対し、狭巾のペーパーロールを脱落させることなく支持させるように、ペーパーロールのロール巾よりも大きい全長を有する補助筒をペーパーロールの中空部に挿通し、この補助筒をペーパーホルダの左右のロール支持部に係合せしめるようにセットするものが提案されている。ペーパーロールが狭巾であるが故にペーパーホルダの左右の側壁との間に大き目の間隔があっても、ペーパーロールに挿通されている補助筒はペーパーロールよりも広巾であって、ペーパーホルダの左右の側壁に対して大きく横ずれすることがなく、左右のロール支持部から脱落しないものとなる。
【０００６】
【発明が解決しようとする課題】
しかしながら、ペーパーロールの中空部の内径は、製造元の事情等により若干異なる場合がある。このため、同一の補助筒を中空部の内径が異なる各種ペーパーロールに適用しようとすると、以下の問題を生ずる。即ち、ペーパーロールの内径が小さ目の中空部に対しては補助筒を挿通しにくくなり、又は挿通不能になる。逆に大き目の中空部に対しては、一旦補助筒を挿通した後、この補助筒をペーパーホルダにセットする際に、ペーパーロールを少しでも斜めにすると、補助筒がその中空部から抜け落ちてしまう。
【０００７】
本発明の課題は、標準のロール巾に対応しているペーパーホルダに対し、狭巾のペーパーロールをスムースに、かつ脱落させることなくセットすることにある。
【０００８】
【課題を解決するための手段】
請求項１の発明は、ペーパーシートを巻取って構成され、巻取中心に中空部を備えるペーパーロール用の補助筒であって、ペーパーロールの中空部に挿通可能とされ、ペーパーロールのロール巾よりも大きい全長を有し、ペーパーホルダの左右のロール支持部に係合可能とされるものであり、長手方向に直交する断面の周方向両端部を重ねた巻き筒状をなし、ペーパーロールの中空部に挿通される筒径を弾性的に拡縮可能にし、ペーパーロールの中空部に挿通された後の筒径の拡径作用により、ペーパーロールの中空部に密着可能にされるようにしたものである。
【０００９】
請求項２の発明は、請求項１の発明において更に、前記補助筒がプラスチック管の長手方向に切れ目を入れて構成されたものである。
【００１０】
【作用】
請求項１の発明によれば下記▲１▼の作用がある。
▲１▼巻き筒状の補助筒の筒径を弾性的に拡縮することにより、狭巾のペーパーロールの中空部の内径が小さ目でも、大き目でも、補助筒を該中空部にスムースに挿入し、かつ密着させて固定化でき、補助筒の装填性を向上できる。
【００１１】
請求項２の発明によれば下記▲２▼の作用がある。
▲２▼プラスチック管の性質により、プラスチック管の長手方向に切れ目を入れると、プラスチック管は縮径習性によって自由状態まで縮径し、自由状態においては、切れ目によって分離された周方向両端部を重ねた巻き筒状をなす。これにより、極めて簡易に巻き筒状をなす補助筒を製造できる。
【００１２】
【発明の実施の形態】
図１はペーパーホルダとペーパーロールを示す模式図、図２はコア付のペーパーロールと補助筒を示す模式図、図３はコア無しのペーパーロールと補助筒を示す模式図、図４は補助筒の自由状態と縮径状態を示す模式図、図５は補助筒の製造過程を示す模式図である。
【００１３】
ペーパーホルダ１０は、例えばトイレ用であって、トイレブースの壁面に固定され、図１に示す如く、左右の側壁１１のそれぞれの内面に凹設した溝部１２にロール支持レバー１３（ロール支持部）を設けてある。ロール支持レバー１３は、溝部１２の内部に回動支点を設けられ、起立位置への復帰習性を付与され、起立位置と伏臥位置との間で上下に揺動可能とされる。ロール支持レバー１３の起立位置への復帰習性は内蔵するばね又は先端部に付与されたおもりによる。ロール支持レバー１３は、ペーパーロール２０（２０Ａ、２０Ｂ）の挿入外力により水平起立位置から上方に押し倒されて溝部１２に没する伏臥位置に設定され、ペーパーロール２０の中空部２３に係入することによる上記挿入外力の解消下で復帰習性により溝部１２から下方に旋回して水平位置で回動停止せしめられて起立位置に復帰する。
【００１４】
ペーパーロール２０は、図１に示す如く、ペーパーシート２１を巻取コア２２に巻取って構成されたものであり、巻取コア２２の中空部２３をその巻取中心に備える。ここで、ペーパーロール２０としては、原反ロールの分割数により、標準巾のペーパーロール２０Ａ（ロール巾Ｗ1を例えば114±2mmとする）と、狭巾のペーパーロール２０Ｂ（ロール巾Ｗ2を例えば105mmとする）とがある。ペーパーホルダ１０にあっては、標準巾のペーパーロール２０Ａに対応するため、左右のロール支持レバー１３が設けられる左右の側壁１１の間隔Ｌを例えば116mm以上の広幅に設定している。
【００１５】
本実施形態では、標準のロール巾Ｗ1に対応しているペーパーホルダ１０に対し、狭巾Ｗ2のペーパーロール２０Ｂも脱落させることなく支持可能とするため、補助筒３０を用いることにした。
【００１６】
補助筒３０は、プラスチック管３０Ａからなり、狭巾ペーパーロール２０Ｂの巻取コア２２の中空部２３に挿通可能とされる円筒状をなし、ペーパーロール２０Ｂのロール巾Ｗ2より大きく、ペーパーホルダ１０の左右の側壁１１の間隔Ｌより小さい全長Ｈ（標準ロール巾Ｗ1と略同じ）を有し（図１、図２）、ペーパーロール２０Ｂの両側外方に突出する両端の内径部３１をペーパーホルダ１０の左右のロール支持レバー１３に係合可能とする。
【００１７】
更に、補助筒３０は、自由状態で、長手方向に直交する断面の周方向両端部を重ねた巻き筒状をなし、筒径を弾性的に拡縮可能にしている。
【００１８】
即ち、巻き筒状の補助筒３０を手で握る等によりその筒径を図４（Ａ）の自由状態の外径ｄ1から弾性的に図４（Ｂ）の如くに外径ｄxまで縮径し、握り等の解除により自己復元力によりその筒径を弾性的に拡径することができる。これにより、ペーパーロール２０Ｂの巻取コア２２の中空部２３の内径より縮径してその中空部２３にスムースに挿通できる。また、挿通後には補助筒３０の筒径の拡径作用により、補助筒３０をペーパーロール２０Ｂの巻取コア２２の中空部２３に内側から押し当て、ペーパーロール２０Ｂを斜めにしたときにも補助筒３０の抜け落ちを防止できる。
【００１９】
そして、狭巾ペーパーロール２０Ｂの使用時には、補助筒３０を挿通したペーパーロール２０Ｂをペーパーホルダ１０の下から上向きに挿入すると、補助筒３０の両端面によって左右のロール支持レバー１３を起立位置から押し倒して、ペーパーロール２０Ｂの挿入経路の両側の溝部１２に伏臥させた後に、ロール支持レバー１３をその復帰習性により補助筒３０の両端内径部３１に係入させてペーパーロール２０Ｂを支持する。ペーパーロール２０Ｂの使用終了時には、補助筒３０をペーパーホルダ１０に対し上方に移動する取外し動作により、ロール支持レバー１３を起立位置から押し倒して、補助筒３０とロール支持レバー１３との係合を解除させるとともに、ロール支持レバー１３をその取外し経路の両側の溝部１２に伏臥させ、ペーパーロール２０Ｂを取外す。補助筒３０の筒径を狭巾ペーパーロール２０Ｂの巻取コア２２の中空部２３の内径に対して再び縮径することによりその中空部２３から取外し、新たな狭巾ペーパーロール２０Ｂのために繰り返し使用される。
【００２０】
尚、ペーパーロール２０Ｂは、図３に示す如く、巻取コア２２を伴わないコア無しのものでも良く、この場合には、ペーパーシート２１自体が形成する中空部２３をその巻取中心に備える。図３の狭巾ペーパーロール２０Ｂにあっても、補助筒３０を中空部２３に挿通して用いることにより、ペーパーホルダ１０に支持可能とされる。
【００２１】
図５は補助筒３０の製造過程を示す。まず、プラスチック管３０Ａ（例えば外径38.3mm、肉厚0.4mm）を押出し成形等により製造する。次に、プラスチック管３０Ａの長手方向に切れ目３２を入れる（図５（Ａ））。プラスチック管３０Ａは、切れ目３２を入れたことにより、その縮径習性によって、切れ目３２により分離された周方向両端部を重ねる巻き筒状に変形し、自由状態の外径ｄ１（例えば35〜36mm）まで縮径する（図５（Ｂ））。
【００２２】
本実施形態によれば以下の作用がある。
▲１▼巻き筒状の補助筒３０の筒径を弾性的に拡縮することにより、狭巾のペーパーロール２０Ｂの中空部２３の内径が小さ目でも、大き目でも、補助筒３０を該中空部２３にスムースに挿入し、かつ密着させて固定化でき、補助筒３０の装填性を向上できる。
【００２３】
▲２▼プラスチック管３０Ａの性質により、プラスチック管３０Ａの長手方向に切れ目３２を入れると、プラスチック管３０Ａは縮径習性によって自由状態まで縮径し、自由状態においては、切れ目３２によって分離された周方向両端部を重ねた巻き筒状をなす。これにより、極めて簡易に巻き筒状をなす補助筒３０を製造できる。
【００２４】
補助筒３０は、プラスチック管３０Ａに限らず、金属管、紙管等からなるものでも良い。
【００２５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、ペーパーホルダは、ロール支持レバーを上下に移動可能にするものでなく、水平に移動可能にするものでも良く、復帰習性を付与された起立位置を前後の中立位置に設定してペーパーロール及び補助筒を支持し、この中立位置の前後両側の伏臥位置に伏臥可能とされてペーパーロール及び補助筒を着脱可能とするものであっても良い。
【００２６】
【発明の効果】
以上のように本発明によれば、標準のロール巾に対応しているペーパーホルダに対し、狭巾のペーパーロールをスムースに、かつ脱落させることなくセットすることができる。
【図面の簡単な説明】
【図１】図１はペーパーホルダとペーパーロールを示す模式図である。
【図２】図２はコア付のペーパーロールと補助筒を示す模式図である。
【図３】図３はコア無しのペーパーロールと補助筒を示す模式図である。
【図４】図４は補助筒の自由状態と縮径状態を示す模式図である。
【図５】図５は補助筒の製造過程を示す模式図である。
【符号の説明】
１０  ペーパーホルダ
１３  ロール支持レバー（ロール支持部）
２０、２０Ａ、２０Ｂ  ペーパーロール
２１  ペーパーシート
２３  中空部
３０  補助筒
３０Ａ  プラスチック管
３２  切れ目
【図１】
0003854195.tif 000002
【図２】
0003854195.tif 000003
【図３】
0003854195.tif 000004
【図４】
0003854195.tif 000005
【図５】
0003854195.tif 000006